【手続補正書】
【提出日】平成17年7月27日(2005.7.27)
【手続補正１】
【補正対象書類名】特許請求の範囲
【補正対象項目名】全文
【補正方法】変更
【補正の内容】
【特許請求の範囲】
【請求項１】
体内組織を切断および密封する装置において、
挿入ロッドと、
該挿入ロッドから延伸し、互いに閉じることができ、閉じると互いに一致するように配置された第一把持面、第二把持面をそれぞれ有する第一および第二ジョーと、
該第二ジョー内に配置されたカートリッジとからなり、
前記カートリッジは、
カートリッジに配置された加熱装置サポートと、
長手軸に沿って加熱装置サポートに配置された第一加熱装置と、
前記加熱装置サポートに配置され、前記第一加熱装置から側方にずれて前記第一加熱装置に平行な第二加熱装置と、
前記加熱装置サポートに配置され、前記第二加熱装置の反対側に配置された第三加熱装置と、
前記カートリッジ内に配置され、前記第一加熱装置から側方にずれて前記第一加熱装置に平行な第一ステープル列と、
前記カートリッジ内に配置され、前記第一ステープル列の反対側に配置された第二ステープル列と、
からなる切断および密封装置。
【請求項２】
腹腔鏡下作業空間内で使用する腹腔鏡下切断およびステープル留め装置において、
腹腔鏡下作業空間に挿入される遠位端および近位端に特徴付けられるとともに前記装置の長軸を規定する剛性挿入部分と、前記剛性挿入部分の近位端に取り付けられたハンドル部分と、第一ジョーおよび第二ジョーからなるステープル留めヘッドとを有し、前記第一ジョーが第一把持面を有し、前記第二ジョーが第二把持面を有し、前記第一および第二ジョーが互いに閉じて前記第一把持面および第二把持面を互いに対向する関係に置くように動作可能である腹腔鏡下ステープル留め装置と、
前記第一ジョー内に配置された第一ステープル列を収容し、前記ステープルを体内組織に発射するように前記ハンドルから操作可能であり、前記第一ステープル列が前記装置の長軸にほぼ平行で、かつ、前記装置の長軸から半径方向にずれて配置されているカートリッジと、
前記第一把持面上に、前記装置の長軸に平行で前記第一把持面に中央に配置された電気抵抗ワイヤからなる第一加熱装置と、
前記第一把持面上に、前記装置の長軸に平行で前記装置の長軸から半径方向にずれて配置された電気抵抗ワイヤからなる第二加熱装置と、
前記第一加熱装置および第二加熱装置に動作可能に接続された電流源と、
前記第一制御加熱装置への電流を制御して、体内組織を切断するのに十分な温度まで前記第一加熱装置を加熱する第一制御装置と、
前記第二制御加熱装置への電流を制御して、体内組織を密封するのに十分な温度まで前記第二加熱装置を加熱する第二制御装置と、
からなる腹腔鏡下切断およびステープル留め装置。
【請求項３】
前記第二加熱装置は前記第一加熱装置と前記ステープル列の間に配置される請求項２の切断およびステープル留め装置。
【請求項４】
前記カートリッジ内に配置され、前記ハンドルから操作可能である前記カートリッジにより体内組織に発射されるようになっており、前記装置の長軸にほぼ平行で、かつ、前記装置の長軸から半径方向にずれて、前記第一ステープル列の反対側に配置された第二ステープル列と、
前記第一把持面上に、前記装置の長軸に平行で前記装置の長軸から半径方向にずれて前記第二加熱装置の反対側に配置され、前記電流源に動作可能に接続された電気抵抗ワイヤからなる第三加熱装置と、
前記第三制御加熱装置への電流を制御して、体内組織を密封するのに十分な温度まで前記第三加熱装置を加熱する第三制御装置と、
をさらに有する請求項２の切断およびステープル留め装置。
【請求項５】
前記第二加熱装置は前記第一加熱装置と前記第一ステープル列の間に配置され、
前記第三加熱装置は前記第一加熱装置と前記第二ステープル列の間に配置されている請求項４の切断およびステープル留め装置。
【請求項６】
体内組織を切断および密封する装置において、
挿入ロッドと、
該挿入ロッドから延伸し、互いに閉じることができ、閉じると互いに一致するように配置された第一把持面、第二把持面をそれぞれ有する第一および第二ジョーと、
該第二ジョー内に配置されたカートリッジとからなり、
前記カートリッジは、
前記カートリッジに配置されたサポートと、
電気抵抗ワイヤからなり、前記サポート上に配置され前記挿入ロッドの長手軸に沿って配置された切断装置と、
第一電極および第二電極からなり、前記第一電極が前記第一ジョーの上に前記挿入ロッドの長軸から側方にずれて前記挿入ロッドに平行に配置され、前記第二電極が前記第二ジョーの上に前記挿入ロッドの長軸から側方にずれて前記挿入ロッドに平行に配置されている第一電極対とからなり、
ここで前記第一電極および第二電極は前記ジョーが閉じたとき互いに向き合うように配置され、ここで前記第一電極対は１対の二極電極として動作可能である、
切断および密封装置。
【請求項７】
前記装置はさらに、
第三電極および第四電極からなり、前記第三電極が前記第一ジョーの上に前記第一電極の反対側に配置され、前記第四電極が前記第二ジョーの上に前記第二電極の反対側に配置されている第二電極対を有し、
ここで前記第二電極対は前記第一および第二ジョーが閉じたとき互いに向き合うように配置され、ここで前記第二電極対は１対の二極電極として動作可能である、請求項６の装置。
【請求項８】
前記カートリッジはさらに、
前記カートリッジ内に配置され、前記第一電極から側方にずれて前記第一電極と平行であり、前記第一ジョーと第二ジョーに挟んだ組織をステープル留めするように動作可能である第一ステープル列を有する、請求項７の装置。
【請求項９】
前記カートリッジはさらに、
前記カートリッジ内に配置され、前記第一ステープル列の反対側に配置され、前記第一ジョーと第二ジョーに挟んだ組織をステープル留めするように動作可能である第二ステープル列を有する、請求項８の装置。
【請求項１０】
前記第一電極対に高周波エネルギーを供給する高周波発生装置をさらに有する請求項７の装置。
【請求項１１】
前記第一および第二電極対に高周波エネルギーを供給する高周波発生装置をさらに有する請求項９の装置。
【請求項１２】
腹腔鏡下作業空間内で使用する腹腔鏡下切断およびステープル留め装置において、
腹腔鏡下作業空間に挿入される遠位端および近位端に特徴付けられるとともに前記装置の長軸を規定する剛性挿入部分と、前記剛性挿入部分の近位端に取り付けられたハンドル部分と、第一ジョーおよび第二ジョーからなるステープル留めヘッドとを有し、前記第一ジョーが第一把持面を有し、前記第二ジョーが第二把持面を有し、前記第一および第二ジョーが互いに閉じて前記第一把持面および第二把持面を互いに対向する関係に置くように動作可能である腹腔鏡下ステープル留め装置と、
前記第一ジョー内に配置された第一ステープル列を収容し、前記ステープルを体内組織に発射するように前記ハンドルから操作可能であり、前記第一ステープル列が前記装置の長軸にほぼ平行で、かつ、前記装置の長軸から半径方向にずれて配置されているカートリッジと、
前記第一把持面上に、前記装置の長軸に平行で前記第一把持面の中央に配置された電気抵抗ワイヤからなる切断装置と、
第一電極および第二電極からなり、前記第一電極が前記第一ジョーの上に前記挿入ロッドの長軸から側方にずれて前記挿入ロッドに平行に配置され、前記第二電極が前記第二ジョーの上に前記挿入ロッドの長軸から側方にずれて前記挿入ロッドに平行に配置されている第一電極対とからなり、
ここで前記第一電極対は前記第一および第二ジョーが閉じたとき互いに向き合うように配置され、ここで前記第一電極対は１対の二極電極として動作可能であり、
前記第一二極電極対に動作可能に接続された高周波数発生装置と前記切断装置に動作可能に接続された電流源と、
前記切断装置への電流を制御して、体内組織を切断するのに十分な温度まで前記切断装置を加熱するように動作可能な第一制御装置と、
前記第一電極対への高周波エネルギーを制御して、前記第一電極対が該第一電極対の間に挟んだ体内組織を密封するのに十分な温度に加熱するのに十分な高周波エネルギーを伝達することができるように、動作可能な第二制御装置と、
からなる切断およびステープル留め装置。
【請求項１３】
前記第一電極は前記切断装置と前記第一ステープル列の間に配置されている請求項１２の切断およびステープル留め装置。
【請求項１４】
前記カートリッジ内に配置され、前記ハンドルから操作可能である前記カートリッジにより体内組織に発射されるようになっており、前記装置の長軸にほぼ平行で、かつ、前記装置の長軸から半径方向にずれて、前記第一ステープル列の反対側に配置された第二ステープル列と、
第三電極および第四電極からなり、前記第三電極が前記第一ジョーの上に、前記装置の長軸にほぼ平行で前記装置の長軸から半径方向にずれて前記第一電極の反対側に配置され、前記第四電極が前記第二ジョーの上に、前記装置の長軸にほぼ平行で前記装置の長軸から半径方向にずれて前記第二電極の反対側に配置されている第二電極対と、
ここで前記第二電極対は前記第一および第二ジョーが閉じたとき互いに向き合うように配置され、ここで前記第二電極対は１対の二極電極として動作可能であり、
前記第二電極対への高周波エネルギーを制御して、前記第二電極対が該第二電極対の間に挟んだ体内組織を密封するのに十分な温度に加熱するのに十分な高周波エネルギーを伝達することができるように、動作可能な第三制御装置と、
をさらに有する請求項１２の切断およびステープル留め装置。
【請求項１５】
前記第二加熱装置は前記第一加熱装置と前記第一ステープル列の間に配置され、
前記第三加熱装置は前記第一加熱装置と前記第二ステープル列の間に配置されている請求項１４の切断およびステープル留め装置。
【請求項１６】
体内組織を切断および密封する装置において、
挿入ロッドと、
該挿入ロッドから延伸し、互いに閉じることができ、閉じると互いに一致するように配置された第一把持面、第二把持面をそれぞれ有する第一および第二ジョーと、
該第二ジョー内に配置されたサポートと、
電気抵抗ワイヤからなり、前記サポート上に配置され前記挿入ロッドの長手軸に沿って配置された切断装置と、
前記第一ジョーの上に配置された第一電極が前記第二ジョーの上に配置された第二電極と動作可能に対になり、前記第一電極と第二電極が前記第一および第二ジョーが閉じたとき互いに向き合うように配置され、前記第一電極および第二電極が前記挿入ロッドの長軸から側方にずれて前記挿入ロッドに平行に配置され、前記第一電極および第二電極が二極電極として動作可能である、第一および第二電極と、
前記第一ジョーの上に配置された第三電極が前記第二ジョーの上に配置された第四電極と動作可能に対になり、前記第三電極と第四電極が前記第一および第二ジョーが閉じたとき互いに向き合うように配置され、前記第三電極および第四電極が前記挿入ロッドの長軸から側方にずれて前記挿入ロッドに平行に配置され、前記第三電極が前記第一電極の反対側に配置されて前記第四電極が前記第二電極の反対側に配置され、前記第三電極および第四電極が二極電極として動作可能である、第三および第四電極と、
からなる切断および密封装置。
【請求項１７】
前記第一、第二、第三、および第四電極に高周波エネルギーを供給する高周波発生装置をさらに有する請求項１６の装置。